(57)【特許請求の範囲】
【請求項１】
下端に係合爪片を備えた操作軸体を、蓋受枠に乗載される遮蔽蓋の側傍に設けた施錠孔に上下方向に収納して、その下部を施錠孔から下方に突出し、操作軸体の係合爪片を、操作軸体の回動操作により、蓋受枠と係合する施錠位置と、係合しない解錠位置とに回動変換可能とするとともに、
該係合爪片の解錠位置で操作軸体を施錠孔内で上方位置に移動させる発条からなる付勢手段を設け、
さらに係合爪片の解錠位置で施錠孔内を上方位置に移動した操作軸体によって、施錠孔の上部に被着される解錠用の操作溝が上面に形成された遮蔽キャップの、その被着を不能とするようにしたことを特徴とする遮蔽蓋の施錠装置。
【発明の詳細な説明】
【０００１】
【発明の属する技術分野】
本発明は、施錠忘れを防止し得るようにした遮蔽蓋の施錠装置に関する。
【０００２】
【従来の技術】
マンホールや各種点検口、あるいは側溝等を遮蔽する遮蔽蓋は、第三者による不用の開放を防止するために施錠装置が設けられる。
【０００３】
従来の施錠装置は、図７に示すように、蓋受枠ａに乗載される遮蔽蓋ｂの側傍に設けた施錠孔ｃの上部に着脱可能な遮蔽キャップｄが被着され、施錠孔ｃ内には下端に係合爪片ｅを備えた操作軸体ｆを上下方向に収納させて、該操作軸体ｆの回動操作により、係合爪片ｅを蓋受枠ａと係合する施錠位置と、係合しない解錠位置とに回動変換させるように構成されている。
【０００４】
【発明が解決しようとする課題】
この施錠装置の施錠及び解錠操作は、専用ハンドルによって、遮蔽キャップｄを取外し、操作軸体ｆを正逆何れかの方向に略９０°回動させることにより行なわれるが、操作軸体ｆが施錠孔ｃ内の奥方位置で回動するだけなので、施錠状態と解錠状態との判別がしにくい。このため、施錠忘れが生じ易く、解錠状態のままで遮蔽キャップｄを被着してしまう作業ミスが生じるという問題点がある。
【０００５】
本発明は、かかる従来の問題点を解消し得る遮蔽蓋の施錠装置の提供を目的とするものである。
【０００６】
【課題を解決するための手段】
本発明は、下端に備えた係合爪片を、蓋受枠と係合する施錠位置と、係合しない解錠位置とに回動変換させる操作軸体を、遮蔽蓋の側傍に設けた施錠孔に上下方向に収納し、前記係合爪片の解錠位置で操作軸体を施錠孔内で上方位置に移動させる付勢手段を設けたことを特徴とするものである。
【０００７】
この構成にあって、蓋受枠に乗載される遮蔽蓋の側傍に施錠孔を設け、該施錠孔に操作軸体を上下方向に収納し、該操作軸体の下部を施錠孔から下方に突出させ、その下端に、操作軸体の回動操作により、蓋受枠と係合する施錠位置と、係合しない解錠位置とに回動変換される係合爪片を設けるとともに、該係合爪片の解錠位置で操作軸体を施錠孔内で上方位置に移動させる発条からなる付勢手段を設けるようにしている。
【０００８】
また、前記係合爪片の解錠位置で施錠孔内を上方位置に移動した操作軸体によって、施錠孔の上部に被着される遮蔽キャップの被着を不能とするようにしている。
【０００９】
かかる構成にあって、係合爪片が蓋受枠と係合しない解錠位置にあると、操作軸体が施錠孔の上方位置に移動しているため、該操作軸体の頭部を外部上方から視認することができる。これにより、解錠状態であることを容易に知ることができ、施錠忘れが生じない。
【００１０】
また、係合爪片の解錠位置で施錠孔内を上方位置に移動した操作軸体によって、施錠孔の上部に被着される遮蔽キャップの被着を不能とするようにすれば、遮蔽キャップの取付けができないため、解錠状態であることがわかり、解錠状態のままで遮蔽キャップを被着してしまうような作業ミスが防止され得る。
【００１１】
【発明の実施の形態】
本発明の一実施例を図１〜図５について説明する。
図面において、１はマンホール，各種点検口，側溝ｘ等の側縁上部に配設された蓋受枠を示す。該蓋受枠１は、側壁部２から内方に突成された乗載縁３を備え、該乗載縁３の下面と基板部４との間に係合溝５が形成されている。また、乗載縁３の下面を係止面３’としている。
【００１２】
６は前記蓋受枠１に乗載してマンホール，各種点検口，側溝ｘ等を遮蔽する遮蔽蓋である。図示した遮蔽蓋６は、カラー舗装用鉄蓋として構成されたものであって、底壁７の周縁に縁取り壁８を備えた浅底筺体状に形成されており、その内部に蓋受枠１の周囲に敷設される舗装材９と同じ舗装材９を充填し得るようになっている。該遮蔽蓋６は、その底壁７の下面側部に形成された支持突縁１０を前記乗載縁３上に載置して蓋受枠１に乗載するようにしている。
【００１３】
前記遮蔽蓋６の側傍には、遮蔽蓋６の底壁７を貫通させて筒体１１が上下方向に配設され、その内部に施錠孔１２が設けられる。筒体１１は、外周部に固着した固定用プレート１３をボルト１４ａ，ナット１４ｂによって底壁７に螺子止めすることにより固定され、その底部に、中心に挿通孔１５を形成した底板１６を固着して、施錠孔１２を有底状としている。また、筒体１１の上端部には遮蔽蓋６の上面と面一となる高さ位置に化粧板１７が固着され、該化粧板１７には施錠孔１２と同心位置で連通する連通孔１８が形成されている。
【００１４】
前記施錠孔１２は、上部内周に雌螺子１９が形成され、該雌螺子１９には、胴部に形成した雄螺子部２０を螺合して遮蔽キャップ２１が上方から着脱可能に被着される。該遮蔽キャップ２１の頭部２２の厚みは前記化粧板１７と略同一の厚みに設けられ、その被着状態において連通孔１８内で化粧板１７の上面と面一となるようにしている。また、遮蔽キャップ２１の頭部２２には回転操作溝２３が形成されている。該回転操作溝２３は特殊なキー形状に合致する溝形状となっており、ドライバー等の一般的な工具による回転操作ができないようにしている。
【００１５】
施錠孔１２内には、操作軸体２４が上下方向に収納される。該操作軸体２４は円柱状の操作頭部２４ａと、その下部に連成された小径の連係杆部２４ｂとからなる。該連係杆部２４ｂの下部は、前記底板１６の挿通孔１５から下方に突出され、その下端には係合爪片２５が螺着されている。そして、該係合爪片２５は、操作軸体２４の回動操作により、前記蓋受枠１の係合溝５と係合する施錠位置と、同係合溝５と係合しない解錠位置とに回動変換されるようになっている。
【００１６】
また、操作頭部２４ａの下面と底板１６との間には操作軸体２４を上方付勢する発条２６が介装されており、該発条２６を、係合爪片２５の解錠位置で操作軸体２４を施錠孔１２内で上方位置に移動させる付勢手段としている。
【００１７】
さらに、操作頭部２４ａには、操作軸体２４の作動を案内する案内機構が設けられている。該案内機構は、操作頭部２４ａの外周面に形成された略倒Ｌ字形のカム溝２７と、施錠孔１２内に突設されてカム溝２７に嵌入された案内ピン２８とからなる。該カム溝２７は、前記係合爪片２５が係合溝５と係合する施錠位置で操作頭部２４ａを所定高さ位置で回動不能に保持する上下方向の短溝部２７ａと、該短溝部２７ａと略９０°異なる位置で操作頭部２４ａを上方位置へ移動可能とする上下方向の長溝部２７ｂと、該長溝部２７ｂの上端と前記短溝部２７ａの上端とを連通する周方向の連通溝部２７ｃとを備えている。尚、この案内機構を構成するカム溝２７と案内ピン２８はその配置を逆にしてもよい。即ち、カム溝２７を施錠孔１２の内周面に形成し、案内ピン２８を操作頭部２４ａから突設させるようにしてもよい。この場合には、前記長溝部２７ｂと短溝部２７ａの夫々の下端を連通溝部２７ｃで連通させることになる。
【００１８】
また、操作頭部２４ａの上端には適宜形状の解錠操作部２９が形成されており、該解錠操作部２９の形状に合致させて別途形成した解錠ハンドル（図示省略）を係合させることによって、操作軸体２４を回動させ得るようになっている。
【００１９】
次に前記構成からなる施錠装置の操作について説明する。
図１に示すように、遮蔽蓋６を施錠した状態においては、案内機構の案内ピン２８がカム溝２７の短溝部２７ａ内に位置し、係合爪片２５が蓋受枠１の係合溝５に係合している。ここで、該係合爪片２５は、必ずしも係合溝５の上方の係止面３’に当接する必要はなく、下方で対峙していればよい。而して、この状態では遮蔽蓋６の持ち上げが不能であり、施錠状態となっている。
【００２０】
この状態において、施錠装置を解錠するには、まず、遮蔽キャップ２１の回転操作溝２３に専用キーを差込んで回転させて該遮蔽キャップ２１を取外す。次に施錠孔１２内に上方から解錠ハンドルを挿入し、解錠操作部２９に係合させて操作頭部２４ａを発条２６の付勢に抗して下方に押し込むと、案内機構の案内ピン２８がカム溝２７の連通溝部２７ｃ内に相対的に移動して、操作頭部２４ａの回動操作が可能な状態となる。そして、該操作頭部２４ａを連通溝部２７ｃに沿って略９０°回動させることにより、連係杆部２４ｂに固定されている係合爪片２５が一体的に回動して蓋受枠１の係合溝５から離脱し、解錠位置に移動する。
【００２１】
またこのように、操作頭部２４ａを略９０°回動させると、案内ピン２８が、連通溝部２７ｃを通って長溝部２７ｂの上端まで相対的に移動して該長溝部２７ｂ内に入ることとなり、操作頭部２４ａの上方への移動が可能な状態となる。そして、操作軸体２４は発条２６によって上方に付勢されていることにより、該発条２６の付勢力によって操作軸体２４が押し上げられ、案内ピン２８が長溝部２７ｂの下端まで相対的に移動して、図５に示すように、操作頭部２４ａの上端が施錠孔１２の開口近傍部に臨む位置に保持されることとなる。
【００２２】
そしてこのように、施錠装置が解錠された状態にあっては、操作頭部２４ａの上端が施錠孔１２の開口近傍部に位置していることにより、該操作頭部２４ａを外部上方から視認することができ、施錠装置が解錠状態であることを容易に知り得るので、その後の施錠忘れを防止することができる。
【００２３】
また、前記のように、操作頭部２４ａの上端が施錠孔１２の開口近傍部に位置していることにより、遮蔽キャップ２１の取付けが極めて困難であるため、このことによっても解錠状態であることを知ることができるとともに、解錠状態のままで遮蔽キャップ２１を被着してしまうような作業ミスを防止することができる。
【００２４】
一方、施錠装置を施錠するには、施錠孔１２の開口近傍部に位置している操作頭部２４ａに解錠ハンドルを係合させ、該操作頭部２４ａを発条２６の付勢に抗して下方に押し込んで、前記と逆方向に略９０°回動させると、係合爪片２５が一体的に回動して蓋受枠１の係合溝５に係合され、施錠状態となる。然る後、施錠孔１２の上部内周の雌螺子１９に遮蔽キャップ２１を螺合して被着することにより施錠作業が完了する。
【００２５】
図６は他の実施例を示すものであって、この実施例は、蓋受枠１の乗載縁３を若干厚肉に形成し、その下面の係止面３’に、施錠位置に回動された係合爪片２５を発条２６の付勢によって下方から当接させるようにしたものである。このように係合爪片２５を係止面３’に当接させるように構成すると、施錠位置で操作頭部２４ａが施錠孔１２の下方位置に保持されるので、前記実施例におけるカム溝２７と案内ピン２８とからなる案内機構が不要となり、操作頭部２４ａを左右何れの方向にも回動操作することもできる。また、連係杆部２４ｂの所定位置に施錠孔１２の下部に当接するストッパー３０を設ければ、係合爪片２５の解錠位置で施錠孔１２内の上方位置に移動する操作頭部２４ａを所定の高さ位置に保持することができる。
【００２６】
尚、前記両実施例においては、カラー舗装用鉄蓋として構成された遮蔽蓋６を図示して説明したが、本発明に係る施錠装置は、その他の遮蔽蓋、例えば、電線共同溝用鉄蓋，マンホール用鉄蓋，ハンドホール用鉄蓋，上水道用鉄蓋等に適用することが可能である。また、施錠孔１２の上部に被着される遮蔽キャップ２１は、実施例のような螺着式のものに代えて、ゴム製の遮蔽キャップを嵌合により被着させるものであってもよい。
【００２７】
【発明の効果】
本発明は上述のように、下端に備えた係合爪片２５を、蓋受枠１と係合する施錠位置と、係合しない解錠位置とに回動変換させる操作軸体２４を、遮蔽蓋６の側傍に設けた施錠孔１２に上下方向に収納し、前記係合爪片２５の解錠位置で操作軸体２４を施錠孔１２内で付勢手段によって上方位置に移動させるようにしたから、解錠状態において、操作軸体２４の頭部を外部上方から視認することができる。これにより、解錠状態であることを容易に知ることができ、施錠忘れを防止することができる。
【００２８】
また、係合爪片２５の解錠位置で施錠孔１２内を上方位置に移動した操作軸体２４によって、施錠孔１２の上部に被着される遮蔽キャップ２１の被着を不能とするようにすれば、解錠状態において、遮蔽キャップ２１の取付けができないため、解錠状態であることがわかり、解錠状態のままで遮蔽キャップ２１を被着してしまうような作業ミスが防止され得る等の優れた効果がある。
【図面の簡単な説明】
【図１】本発明に係る遮蔽蓋の施錠装置の施工状態を示す側断面図である。
【図２】同上の平面図である。
【図３】本発明に係る遮蔽蓋の施錠装置の透視斜視図である。
【図４】同上の分解透視斜視図である。
【図５】同上の施工状態における解錠状態の側断面図である。
【図６】他の実施例の施工状態の側断面図である。
【図７】従来構成の施錠装置の施工状態を示す側断面図である。
【符号の説明】
１  蓋受枠
６  遮蔽蓋
１２  施錠孔
２１  遮蔽キャップ
２４  操作軸体
２５  係合爪片
２６  発条
【図１】
0003786468.tif 000002
【図２】
0003786468.tif 000003
【図３】
0003786468.tif 000004
【図４】
0003786468.tif 000005
【図５】
0003786468.tif 000006
【図６】
0003786468.tif 000007
【図７】
0003786468.tif 000008